(57)【要約】【課題】  蓋体を開放する際のチャッキングプレートのディスク状記録媒体への衝突によるディスク状記録媒体の位置ズレ、損傷等を防止する。【解決手段】  ディスク状記録媒体２を回転駆動するディスク回転駆動機構１１が設けられたディスク装着部４を有する機器本体３と、機器本体３に回動可能に取り付けられ、ディスク装着部４を開放又は閉塞する蓋体５と、ターンテーブル１２との間にディスク状記録媒体２を挟んで保持するチャッキングプレート１３と、チャッキングプレート１３を支持する支持部材１４と、支持部材１４に設けられ、蓋体５が開放操作されるときに、チャッキングプレート１３に当接することでターンテーブル１２との間に保持されたディスク状記録媒体２からチャッキングプレート１３を離間させる少なくとも一対の押圧操作部１５，１６とを備え、一対の押圧操作部１５，１６は、蓋体５の回動支軸７に平行な中心線に対して回動支軸７側に設けられる。【選択図】  図４
2006313606.tif 000002
【特許請求の範囲】
【請求項１】
ディスク状記録媒体を回転駆動するディスク回転駆動機構が設けられたディスク装着部を有する機器本体と、
上記機器本体に回動可能に取り付けられ、上記ディスク装着部を開放又は閉塞する蓋体と、
上記蓋体に取り付けられ、上記ディスク回転駆動機構のターンテーブルとの間に上記ディスク状記録媒体を挟んで保持するチャッキングプレートと、
上記蓋体に設けられ、上記チャッキングプレートを支持する支持部材と、
上記支持部材に設けられ、上記蓋体が開放操作されるときに、上記チャッキングプレートに当接することで上記ターンテーブルとの間に保持されたディスク状記録媒体から上記チャッキングプレートを離間させる少なくとも一対の押圧操作部とを備え、
上記一対の押圧操作部は、上記蓋体の回動支軸に平行な中心線に対して上記回動支軸側に設けられるディスクプレーヤ。
【請求項２】
上記チャッキングプレート及び上記ターンテーブルは、一方にマグネットを有し、他方に磁性材を有し、
上記一方に設けられたマグネットは、他方に設けられた磁性材を吸引することで、上記チャッキングプレートと上記ターンテーブルとの間に上記ディスク状記録媒体を保持する請求項１記載のディスクプレーヤ。
【請求項３】
上記ターンテーブル及び閉塞状態とされた上記蓋体は、略平行であるとともに当該ディスクプレーヤの接地面に対して傾斜され、
上記回動支軸は、当該ディスクプレーヤが接地面に接地された状態で上記蓋体の下方側に位置して設けられる請求項１記載のディスクプレーヤ。
【請求項４】
閉塞状態とされた上記蓋体は、上記機器本体の上面と同一平面を形成し、
上記回動支軸は、該ディスクプレーヤが接地面に接地された状態で上記上面の下方側に位置して設けられる請求項１記載のディスクプレーヤ。
【請求項５】
上記支持部材は、上記蓋体の内面側に立ち上がり形成された周壁と、この周壁の先端に内側に向けて突出して形成された複数の係合部とからなり、
上記チャッキングプレートは、蓋体側の先端に上記係合部に係合される突部を有する請求項１記載のディスクプレーヤ。
【発明の詳細な説明】
【技術分野】
【０００１】
本発明は、機器本体に回動可能に取り付けられる蓋体を有するディスクプレーヤに関する。
【背景技術】
【０００２】
従来から、例えば、特許文献１乃至特許文献３に示すように、回動支軸を介して機器本体の上面に回動自在に取り付けられる蓋体を有するディスクプレーヤがある。この蓋体には、本体側のターンテーブルとの間にディスク状記録媒体を保持するためのチャッキングプレートが所定の隙間を有して取り付けられる。すなわち、チャッキングプレートは、蓋体が閉塞された状態では、蓋体に非接触な状態でディスク状記録媒体とともに回転し、蓋体が開放操作された状態では、蓋体と共にディスク状記録媒体から離間する方向に移動される。
【０００３】
かかるディスクプレーヤにおいて、蓋体を開放するときに、チャッキングプレートがディスク状記録媒体に衝突し、ディスク状記録媒体がターンテーブルに対して位置ズレを起こして回転軸から外れたり、ディスク状記録媒体の表面等が損傷したりする等の問題が発生するおそれがある。
【０００４】
すなわち、チャッキングプレートは、蓋体が閉塞した状態で、内蔵するマグネットによってディスク状記録媒体をターンテーブル側に押し付け、蓋体には接触せずにディスクと一体に回転される。そして、蓋体が開くときにチャッキングプレートを支持するための支持部材がチャッキングプレートに係合しチャッキングプレートを持ち上げることでターンテーブルから離間する。
【０００５】
このとき、蓋体が回動支軸を中心に回動して傾斜されるため、チャッキングプレートは、蓋体との隙間分だけ蓋体の傾斜している下方側へ移動する。このチャッキングプレートが移動する際ディスク状記録媒体に衝突してしまい、ディスク状記録媒体が叩かれ、上述したディスク状記録媒体の位置ズレ、損傷等が発生してしまう。このディスク状記録媒体の位置ズレ及び損傷は、ディスク状記録媒体が回転しているときに誤動作により蓋体の開放動作が行われたときに発生しやすい。
【０００６】
特に、ディスク状記録媒体が水平面に対して傾斜している場合、すなわち、ディスク状記録媒体を載置するターンテーブルが傾斜しているようなディスクプレーヤの場合には、このディスク状記録媒体の位置ズレ、損傷等の問題が発生しやすくなってしまう。
【０００７】
【特許文献１】特開昭５９−２０１２８２号公報
【特許文献２】特開平４−１８２９６１号公報
【特許文献３】実公平３−１３９０３号公報
【発明の開示】
【発明が解決しようとする課題】
【０００８】
本発明の目的は、蓋体を開放する際のチャッキングプレートのディスク状記録媒体への衝突によるディスク状記録媒体の位置ズレ、損傷等を防止することができるディスクプレーヤを提供することにある。
【課題を解決するための手段】
【０００９】
本発明に係るディスプレーヤは、ディスク状記録媒体を回転駆動するディスク回転駆動機構が設けられたディスク装着部を有する機器本体と、上記機器本体に回動可能に取り付けられ、上記ディスク装着部を開放又は閉塞する蓋体と、上記蓋体に取り付けられ、上記ディスク回転駆動機構のターンテーブルとの間に上記ディスク状記録媒体を挟んで保持するチャッキングプレートと、上記蓋体に設けられ、上記チャッキングプレートを支持する支持部材と、上記支持部材に設けられ、上記蓋体が開放操作されるときに、上記チャッキングプレートに当接することで上記ターンテーブルとの間に保持されたディスク状記録媒体から上記チャッキングプレートを離間させる少なくとも一対の押圧操作部とを備え、上記一対の押圧操作部は、上記蓋体の回動支軸に平行な中心線に対して上記回動支軸側に設けられる。
【発明の効果】
【００１０】
本発明に係るディスクプレーヤは、蓋体を開放する際のチャッキングプレートのディスク状記録媒体への衝突を防止し、ディスク状記録媒体にチャッキングプレートが衝突することにより発生するディスク状記録媒体の位置ズレ、損傷等を防止することができる。
【発明を実施するための最良の形態】
【００１１】
以下、本発明を適用したディスクプレーヤについて図面を参照して説明する。
【００１２】
本発明を適用したディスクプレーヤ１は、図１、図２及び図３に示すように、ディスク状記録媒体２を回転駆動するディスク回転駆動機構１１が設けられたディスク装着部４を有する機器本体３と、ディスク装着部４に装着されたディスク状記録媒体２に対して情報を記録及び／又は再生する記録再生部として光ピックアップ６と、機器本体３に回動可能に取り付けられ、ディスク装着部４を開放又は閉塞する蓋体５と、蓋体５に取り付けられ、ディスク回転駆動機構１１のターンテーブル１２との間にディスク状記録媒体２を挟んで保持するチャッキングプレート１３と、蓋体５に設けられ、チャッキングプレート１３を支持する支持部材１４と、支持部材１４に設けられ、蓋体５が開放操作されるときに、チャッキングプレート１３に当接することでターンテーブル１２との間に保持されたディスク状記録媒体２からチャッキングプレート１３を離間させる少なくとも一対の押圧操作部１５、１６とを備える。
【００１３】
機器本体３は、図１及び図２に示すように、表示部２６、各種操作ボタン２７、及びスピーカが設けられる前面部２１と、各種ジャック部が設けられ前面部２１に対向する背面部２２と、蓋体５と各種操作ボタン２８とが設けられ、前面部２１から背面部２２に向けて下方側に傾斜した上面部２３と、机等の接地面Ｓ１に接地される底面部２４とを有する。また、機器本体３には、蓋体５を開放する図１中矢印Ｒ１方向に付勢する図示しない付勢手段と、蓋体５を閉塞状態に保持するロック機構１８が設けられる。
【００１４】
ディスク装着部４は、図４に示すように、機器本体２の上面部２３に凹状に形成される。ディスク装着部４に設けられたディスク回転駆動機構１１は、シャーシ３１にゴムダンパ３２を介して取り付けられる。ディスク回転駆動機構１１は、スピンドルモータ３３と、スピンドルモータ３３の軸に取り付けられ、ディスク状記録媒体２を載置するターンテーブル１２とを有する。ターンテーブル１２には、後述するチャッキングプレート１３に設けられるマグネット４４と吸引力を発生させるための磁性材が内蔵される。
【００１５】
蓋体５は、図３に示すように、回動支軸７を介して機器本体３の上面部２３に回動可能に取り付けられ、回動支軸７を中心にターンテーブル１２に対して傾斜する矢印Ｒ１方向又は矢印Ｒ１方向の反対方向である矢印Ｒ２方向に回動操作されることにより、ディスク装着部４を閉塞又は開放する。また、蓋体５は、閉塞位置において機器本体２のロック機構１８に係合されることにより、閉塞状態に保持されるための係合部材１７が設けられる。係合部材１７及びロック機構１８は、閉塞状態において、蓋体５の前面部２１側に設けられた押圧部５ａが押圧されることにより、ロック機構１８の係合部材１７へのロック状態が解除され、蓋体５の開放する矢印Ｒ１方向への回動操作を可能とする。蓋体５は、ロック機構１８の係合部材１７への係合が解除されることにより、付勢手段により開放する矢印Ｒ１方向に付勢されることでディスク装着部４を開放できる。
【００１６】
また、係合部材１７及びロック機構１８は、開放状態において、蓋体５を閉塞する図３中矢印Ｒ２方向へ回動させて機器本体３側に回動させることにより、ロック機構１８が係合部材１７に係合する所謂ロック状態となり、付勢手段による蓋体５の開放方向である矢印Ｒ１方向への回動動作を規制して蓋体５を閉塞状態に保持する。蓋体５は、付勢手段に対抗して閉塞する方向である矢印Ｒ２方向に操作されることでディスク装着部４を閉塞して、ロック機構１８を機能させることにより閉塞状態に保持される。蓋体５は、回動操作されることにより、ディスク装着部４を開放して、ディスク状記録媒体２の装着、取り外しを行うことを可能とする。
【００１７】
尚、ここでは、蓋体５の開放動作及び閉塞動作を蓋体５の押圧部５ａを押圧操作によりロック機構をロック状態又はロック解除するように構成したが、これに限られるものでなく、ロック機構を解除するロック解除手段等を設ける構成としてもよい。
【００１８】
閉塞状態とされた蓋体５は、ディスクプレーヤ１の接地面Ｓ１に対して傾斜され、機器本体２の外面、すなわち、上面部２３と同一平面Ｓ２を形成する。
【００１９】
蓋体５の回動支軸７は、ディスクプレーヤ１が接地面Ｓ１に接地された状態で、蓋体５の下方側に位置して設けられる。また、回動支軸７は、ディスクプレーヤ１が接地面Ｓ１に接地された状態で上面部２３の下方側に位置して設けられる。換言すると、回動支軸７は、同一平面Ｓ２に対して機器本体３の内面側に位置して設けられる。
【００２０】
蓋体５の内面側、すなわち、機器本体３側には、図３及び図４に示すように、ターンテーブル１２との間にディスク状記録媒体２を挟んで保持するチャッキングプレート１３と、このチャッキングプレート１３を支持する支持部材１４とが設けられている。
【００２１】
チャッキングプレート１３は、図５及び図６に示すように、略円盤状に形成されターンテーブル１２との間にディスク状記録媒体２を挟んで保持するディスク抑え部４１と、ディスク抑え部４１に比べて径が小さい断面円形状を有する円筒状に形成されるチャッキングプレート本体部４２と、チャッキングプレート本体部４２のディスク抑え部４１が設けられたのと反対側に形成され、蓋体５の支持部材１４に支持される円盤状に形成される突部４３とが設けられる。この突部４３は、チャッキングプレート本体部４２の断面に比べて径が大きな円盤状に形成され、後述する支持部材１４の第１乃至第４の係合部５１，５２，５３，５４に係合され、チャッキングプレート１３を蓋体５に対して所定の隙間を有して取り付けるものである。
【００２２】
また、チャッキングプレート１３は、図５に示すように、チャッキングプレート本体部４２の内部に設けられ、ターンテーブル１２に設けた磁性材を吸引する吸引力を有する吸引部材としてマグネット４４と、このマグネット４４をチャッキングプレート１３に固定するためのマグネット抑え板４５と、マグネット抑え板４５をチャッキングプレート１３に固定するためのネジ４６とを有する。
【００２３】
チャッキングプレート１３は、突部４３が蓋体５側の支持部材１４により支持されることで蓋体５に対して一定の範囲で可動できるように支持されている。すなわち、チャッキングプレート１３は、蓋体５が機器本体２のディスク装着部４を閉塞している際には、蓋体５に接触していない状態とされ、内蔵したマグネット４４によりターンテーブル１２の磁性材に吸引されて、ターンテーブル１２との間にディスク状記録媒体２を挟んで保持し、ターンテーブル１２及びディスク状記録媒体２とともに回転できる状態とされている。また、チャッキングプレート１３は、蓋体５が機器本体２のディスク装着部４を開放している際には、蓋体５の支持部材１４に係合されて、図５中矢印Ｒ１方向に回動される蓋体５とともに移動される。
【００２４】
尚、ディスクプレーヤ１において、チャッキングプレート１３にマグネットを内蔵し、ターンテーブル１２に磁性材を内蔵するように構成したが、これに限られるものではなく、マグネット及び磁性材がそれぞれ反対側に内蔵するように構成しても良い。すなわち、チャッキングプレート１３及びターンテーブル１２は、少なくとも一方にマグネットを有し、他方に磁性材を有するように構成し、この一方に設けられたマグネットが他方に設けられた磁性材を吸引することでチャッキングプレート１３とターンテーブル１２との間にディスク状記録媒体２を保持するように構成すればよい。
【００２５】
支持部材１４は、図５乃至図７に示すように、蓋体５の内面側に立ち上がり形成された円筒状の周壁５０と、この周壁５０の先端に内側に向けて突出してツメ状に形成された第１乃至第４の係合部５１，５２，５３，５４とからなる。周壁５０は、チャッキングプレート１３の突部４３より大径に形成され、第１乃至第４の係合部５１，５２，５３，５４は、その先端部がチャッキングプレート本体部４２を可動自在とするともに、突部４３に係合する大きさに形成されている。
【００２６】
この第１乃至第４の係合部５１，５２，５３，５４は、図６乃至図８に示すように、略均等な間隔を有して配置される。また、第１及び第２の係合部５１，５２は、回動支軸７に平行な中心線Ｌ１上に位置してに設けられ、回動支軸７に直交する中心線Ｌ２に対して対称な位置に配置される。また、第３及び第４の係合部５３，５４は、回動支軸７に直交する中心線Ｌ２上に位置してに設けられ、回動支軸７に平行な中心線Ｌ１に対して対称な位置に設けられる。ここで、回動支軸７に平行な中心線Ｌ１及び直交する中心線Ｌ２は、蓋体５が閉塞された状態において、チャッキングプレート１３の重心をディスク状記録媒体２に直交する方向Ｌ３に延長した位置を通る直線である。
【００２７】
第４の係合部５４は、第１乃至第３の係合部５１，５２，５３に比べて、突出する長さが長く形成されるとともに、弾性を発揮することで変位自在に形成されており、チャッキングプレート１３を蓋体５に取り付ける際に変位することで取り付け、又は、取り外しが可能な形状とされている。また、周壁５０は、第４の係合部５４が形成される部分５０ａが、第１乃至第３の係合部５１，５２，５３が形成される部分５０ｂに比較して高さが低くなるように段差部５０ｃが形成されており、この段差部５０ｃと弾性を有する第４の係合部５４により、チャッキングプレート１３の取り付け、取り外しが行い易いように形成されている。
【００２８】
尚、ここで、支持部材１４の周壁５０は、円筒状に形成されたがこれに限られるものではなく、第１乃至第４の係合部５１，５２，５３，５４を形成できるような形状であればよく、例えば、角筒状に形成してもよく、また、第１乃至第４の係合部をそれぞれ形成できるような第１乃至第４の壁部により形成してもよい。
【００２９】
また、支持部材１４の係合部は、４箇所に限られるものではなく、チャッキングプレート１３を支持可能な形状であるとともに、後述する少なくとも一対の押圧操作部１５，１６を所定の位置に形成できるような形状であればよい。例えば、一対の押圧操作部１５，１６を所定の位置に形成できるよう、回動支軸７に平行な中心線Ｌ１近傍に少なくとも２箇所の係合部が設けられるように構成しても良い。
【００３０】
第１及び第２の押圧操作部１５、１６は、図８乃至図１０に示すように、第１及び第２の係合部５１，５２の蓋体５側、すなわち、周壁５０の内側に位置されたチャッキングプレート１３の突部４３に対向する位置に、略半円球状に形成される。また、第１及び第２の押圧操作部１５、１６は、蓋体５の回動支軸７に平行な中心線Ｌ１に対して回動支軸７側に設けられる。また、第１及び第２の押圧操作部１５、１６は、それぞれが回動支軸７に平行な位置に配置される。換言すると、第１及び第２の押圧操作部１５、１６は、回動支軸７に直交する中心線Ｌ２に対して対称な位置に設けられる。
【００３１】
第１及び第２の押圧操作部１５、１６は、蓋体５が開放動作されたとき、図１１に示すように、チャッキングプレート１３に当接することで、マグネット４４の吸引力によりディスク状記録媒体２側に吸引されたチャッキングプレート１３をディスク状記録媒体２から離間させる。このとき、第１及び第２の押圧操作部１５、１６は、チャッキングプレート１３の重心位置より回動支軸７よりの位置に点接触して押圧操作することにより、チャッキングプレート１３を、ディスク状記録媒体２に対して、すなわち、ディスク載置面であるターンテーブル１２に対して、回動される蓋体５の傾斜方向である図１１中矢印Ｒ１方向と反対方向である図１１中矢印Ｒ３方向に傾斜させる。
【００３２】
すなわち、蓋体５は、開放方向である矢印Ｒ１方向に回動されたとき、ディスク状記録媒体２に対して、回動支軸７側が下方に位置するように所定の角度θ１だけ傾斜される。そして、このとき、チャッキングプレート１３は、第１及び第２の押圧操作部１５，１６により、チャッキングプレート１３の重心位置より回動支軸７よりの位置を押圧操作されることにより、自重により、ディスク状記録媒体２に対して回動支軸７側が上方に位置して所定の角度θ２だけ傾斜される。
【００３３】
第１及び第２の押圧操作部１５、１６は、従来のディスクプレーヤにおいて問題となっていた蓋体の開放動作時のチャッキングプレートの蓋体の傾斜方向の下方側にチャッキングプレートがずれることによるディスク状記録媒体への衝突を防止することができる。
【００３４】
また、第１及び第２の押圧操作部１５，１６が回動支軸７に直交する中心線Ｌ２に対して対称な位置に設けられることで、蓋体５の傾斜方向と、チャッキングプレート１３の傾斜方向とを同一平面内の略反対方向にすることができ、チャッキングプレート１３を安定して支持することができる。
【００３５】
尚、ここでは、第１及び第２の押圧操作部１５、１６が、半円球状に設けられることにより、それぞれがチャッキングプレートに点接触して当接することにより、チャッキングプレートを自重により図１１中矢印Ｒ３方向に傾斜させることを可能としたが、押圧操作部の形状はこれに限られるものではなく、例えば、回動支軸７に平行な方向Ｌ１に線接触できるような形状としてもよい。例えば、回動支軸７に平行な方向Ｌ１に形成された突状部材であって、回動支軸７に直交する方向Ｌ２の断面形状が矩形又は半円形状とされる突状部材を形成するようにしてもよい。かかる形状を有する押圧操作部を設けた場合には、押圧操作部がチャッキングプレート１３に、回動支軸に平行な方向に線接触して当接することにより、チャッキングプレート１３を自重により、図１１中矢印Ｒ３方向に傾斜させることができる。
【００３６】
また、ここでは、押圧操作部を２箇所設けるように構成したが、これに限られるものではなく、上述の第１及び第２の押圧操作部１５、１６に加えて、１又は複数の押圧操作部を設けるように構成しても良い。例えば、上述の第１及び第２の押圧操作部１５、１６に加えて、第３の押圧操作部を第３の係合部５３に設けるように構成した場合には、第１乃至第３の押圧操作部が、チャッキングプレートに点接触又は線接触して当接することにより３点支持することで、チャッキングプレートを所定の角度に保持することを可能とする。すなわち、この第３の押圧操作部が、回動支軸に平行な中心線に対して第１及び第２の押圧操作部１５、１６と反対側に設けられているので、第１乃至第３の押圧操作部は、チャッキングプレートに３点支持する位置の内側にチャッキングプレートの重心が位置するように構成することができ、安定して所定の角度に保持することができる。また、第３の押圧操作部の高さを変えることでチャッキングプレートを所定の角度に保持することができ、例えば、第３の押圧操作部の高さを第１及び第２の押圧操作部の高さと等しくすれば、蓋体５に対して平行な位置に保持することができる。
【００３７】
以上のように構成されたディスクプレーヤ１は、蓋体５が閉塞状態とされたとき、ディスク装着部４に装着されたディスク状記録媒体２が、チャッキングプレート１３及びターンテーブル１２の間に挟んで保持されて回転され、同時に、光ピックアップ６がディスク状記録媒体２の半径方向へ移動されて、ディスク状記録媒体２に対する記録動作又は再生動作を行う。
【００３８】
また、ディスクプレーヤ１は、閉塞状態から開放する際に、回動支軸７に平行な中心線Ｌ１に対して回動支軸７側に設けられる第１及び第２の押圧操作部１５，１６が、チャッキングプレート１４の重心位置より回動支軸７よりの位置を押圧操作することにより、蓋体５の傾斜方向である図１１中矢印Ｒ１方向と反対方向である図１１中矢印Ｒ３方向に傾斜させるので、従来発生していた蓋体を開放する際のチャッキングプレート１３のディスク状記録媒体２への衝突を防止し、ディスク状記録媒体２にチャッキングプレート１３が衝突することにより発生するディスク状記録媒体２の位置ズレ、損傷等を防止することができる。
【００３９】
次に、本発明を適用したディスクプレーヤ１の蓋体５の開閉動作について説明する。
【００４０】
まず、蓋体５がディスク装着部４を閉塞している状態、すなわち、記録又は再生が可能な状態について説明する。
【００４１】
蓋体５がディスク装着部４を閉塞しているときには、図２、図４及び図５に示すように、チャッキングプレート１３に内蔵されたマグネット４４と、ターンテーブル１２に設けられた磁性材との間に吸引力により、チャッキングプレート１３がターンテーブル１２との間にディスク状記録媒体を挟んで保持している。
【００４２】
このとき、チャッキングプレート１３は、蓋体５及び支持部材１４には接触せずに、ターンテーブル１２及びディスク状記録媒体２と回転できる状態となっている。
【００４３】
また、蓋体５は、付勢手段によりディスク装着部４を開放する方向である矢印Ｒ１方向に付勢されているが、ロック機構１８により、閉塞状態に保持されている。
【００４４】
次に、蓋体５が閉塞状態から開放操作されるときの動作について説明する。
【００４５】
上述のように、蓋体５がディスク装着部４を閉塞した状態において、蓋体５の押圧部５ａが押圧されると、ロック機構１８の係合部材１７への係合、すなわち、ロックが解除され付勢手段により開放する方向である矢印Ｒ１方向に付勢されている蓋体５は、開放方向である矢印Ｒ１方向に回動される。
【００４６】
蓋体５が開放方向である矢印Ｒ１方向に回動されると、支持部材１４の第１及び第２の係合部５１，５２に取り付けられた第１及び第２の押圧操作部１５，１６は、チャッキングプレート１３に当接することで、チャッキングプレート１３を、ターンテーブル１２との間に保持されたディスク状記録媒体２から離間させる。
【００４７】
第１及び第２の押圧操作部１５，１６は、ディスク状記録媒体２から離間されたチャッキングプレート１３の重心よりも回動支軸７側の位置で当接して押圧操作することにより、チャッキングプレート１３が回動支軸７側とは反対側が下がるように傾斜、すなわち、
開放方向である矢印Ｒ１方向に傾斜した蓋体５の傾斜方向とは反対方向である図１１中矢印Ｒ３方向に所定の傾斜角θ２で傾斜される。
【００４８】
チャッキングプレート１３は、第１及び第２の押圧操作部１５，１６により、上述の所定の傾斜角θ２で保持されてディスク状記録媒体２から離間するため、蓋体５の開放方向である矢印Ｒ１方向への操作の際にも、そのディスク抑え部４１がディスク状記録媒体２に衝突することがない。
【００４９】
このように、ディスクプレーヤ１は、ディスク状記録媒体２にチャッキングプレート１３を衝突させることなく、安全に、蓋体５を開放操作することができる。
【００５０】
次に、蓋体５が開放状態から閉蓋状態にされるときの動作について説明する。
【００５１】
開放状態とされた蓋体５は、付勢手段の付勢力に対抗して、矢印Ｒ２方向に回動操作され、ディスク装着部４を閉塞したときに、係合部材１７がロック機構１８に係合されてロック状態とされる。
【００５２】
そして、蓋体５がディスク装着部４を閉塞したとき、チャッキングプレート１３は、内蔵したマグネット４４と、ターンテーブル１２に設けた磁性材との吸引力により、ターンテーブル１２との間にディスク状記録媒体２を挟んで保持して、光ピックアップ６がディスク状記録媒体２に対して、情報信号の記録又は再生が行うことが出来る状態とされる。
【００５３】
以上のように、本発明を適用したディスクプレーヤ１は、蓋体５が開放動作されたとき、チャッキングプレート１３が第１及び第２の押圧操作部１５，１６に当接して押圧操作されることで、ディスク状記録媒体２から離間し、ディスク載置面であるターンテーブル１２に対して回動される蓋体５の傾斜する矢印Ｒ１方向と反対方向である矢印Ｒ３方向に傾斜されるので、チャッキングプレート１３のディスク状記録媒体２への緩衝、衝突、当接を防止できる。よって、本発明を適用したディスクプレーヤ１は、ディスク状記録媒体２にチャッキングプレート１３が緩衝、衝突、当接することにより発生するディスク状記録媒体２の位置ズレ、損傷等を防止することができる。また、本発明を適用したディスクプレーヤ１は、チャッキングプレート１３を第１及び第２の押圧操作部１５，１６に当接して押圧操作する構成としているので、例えば、ディスク状記録媒体２が回転操作されているときに誤動作により蓋体が開放操作された際にも、ディスク状記録媒体２の位置ズレ、損傷等を防止することができる。
【００５４】
また、本発明を適用したディスクプレーヤ１は、チャッキングプレート１３及びターンテーブル１２の一方にマグネットを有し、他方に磁性材を有し、一方のマグネットが他方の部材を吸引することで、チャッキングプレート１３とターンテーブル１２との間にディスク状記録媒体２を確実に保持することができるとともに、蓋体５を開放動作するときに、支持部材１４に設けた第１及び第２の押圧操作部１５，１６がチャッキングプレート１３の突部４３に当接することでディスク状記録媒体２から離間されるので、安全且つ確実な蓋体５の開放及び閉塞動作を行うことができる。
【００５５】
さらに、本発明を適用したディスクプレーヤ１は、ターンテーブル１２と、閉塞状態とされた蓋体５とが、ディスクプレーヤ１の接地面Ｓ１に対して傾斜され、回動支軸７がディスクプレーヤ１が接地面Ｓ１に接地された状態で蓋体５の下方側に配置されたときも、蓋体５の開放時のディスク状記録媒体２の位置ズレ及び損傷を防止できるので、配置の自由度及びデザインの自由度を向上させることができ、商品価値を高めることができる。
【００５６】
また、本発明を適用したディスクプレーヤ１は、閉塞状態とされた蓋体５が機器本体３の上面部２３と同一平面Ｓ２を形成し、回動支軸７がこの同平一面Ｓ２に対して機器本体３の内面側、すなわち、ディスクプレーヤ１が接地面Ｓ１に接地された状態で上面部２３の下方側に位置して設けられたときも、蓋体５の開放時のディスク状記録媒体２の位置ズレ及び損傷を防止できるので、配置の自由度及びデザインの自由度を向上させることができ、商品価値を高めることができる。
【図面の簡単な説明】
【００５７】
【図１】本発明を適用したディスクプレーヤの蓋体が開放された状態を示す斜視図である。
【図２】本発明を適用したディスクプレーヤの蓋体が閉塞された状態を示す斜視図である。
【図３】本発明を適用したディスクプレーヤの蓋体が開放された状態を示す側面図である。
【図４】本発明を適用したディスクプレーヤの蓋体が閉塞された状態を示す要部断面図である。
【図５】本発明を適用したディスクプレーヤの蓋体及びチャッキングプレートを示す断面図である。
【図６】本発明を適用したディスクプレーヤの蓋体及びチャッキングプレートを示す分解斜視図である。
【図７】本発明を適用したディスクプレーヤの蓋体を示す要部斜視図である。
【図８】本発明を適用したディスクプレーヤの蓋体に設けられた支持部材を示す平面図である。
【図９】本発明を適用したディスクプレーヤの支持部材の係合部に形成された押圧操作部を示す図であり、図８のＡ−Ａ断面を示す側断面図である。
【図１０】本発明を適用したディスクプレーヤの支持部材の係合部に形成された押圧操作部を示す図であり、図９のＢ−Ｂ断面を示す平断面図である。
【図１１】本発明を適用したディスクプレーヤの蓋体が閉塞状態から開放操作された状態を示す要部断面図である。
【符号の説明】
【００５８】
１  ディスクプレーヤ、  ２  ディスク状記録媒体、３  機器本体、  ４  ディスク装着部、５  蓋体、  ７  回動支軸、  １１  ディスク回転駆動部、  １２  ターンテーブル、  １３  チャッキングプレート、  １４  支持部材、  １５  第１の押圧操作部、  １６  第２の押圧操作部、  ２１  前面部、  ２２  背面部、  ２３  上面部、  ２４  底面部、  ４４  マグネット、  ５０  周壁、  ５１  第１の係合部、  ５２  第２の係合部、  ５３  第３の係合部、  ５４  第４の係合部
【図１】
2006313606.tif 000003
【図２】
2006313606.tif 000004
【図３】
2006313606.tif 000005
【図４】
2006313606.tif 000006
【図５】
2006313606.tif 000007
【図６】
2006313606.tif 000008
【図７】
2006313606.tif 000009
【図８】
2006313606.tif 000010
【図９】
2006313606.tif 000011
【図１０】
2006313606.tif 000012
【図１１】
2006313606.tif 000013